(57)【要約】【課題】  吊り下げ棒が不意に取付ベースから外れるのを防止できるようにして、安全性に優れた吊り掛け装置を提供する。【解決手段】  本発明は、天井面に取り付け可能でかつ下方に開口する挿入孔７を有する取付ベース２と、挿入孔７に着脱自在に挿通される段付き軸部１２を上端部に有する吊り下げ棒３とを備えた吊り掛け装置１に関する。この吊り掛け装置１は、挿入孔７に挿入された段付き軸部１２を吊り下げ棒３の軸心回りに回動させることにより、段付き軸部１２の落下を規制する連結位置と、当該段付き軸部１２の落下を許容する解除位置とのいずれかに切り替え自在な着脱機構を有する。また、この吊り掛け装置１は、段付き軸部１２の軸心回りの相対回動を規制する上方位置と、当該段付き軸部１２の軸心回りの相対回動を許容する下方位置のいずれかに切り替え自在な連結機構１１を有する。【選択図】図１
2010284488.tif 000002
【特許請求の範囲】
【請求項１】
天井面に取り付け可能でかつ下方に開口する挿入孔を有する取付ベースと、前記挿入孔に着脱自在に挿通される段付き軸部を上端部に有する吊り下げ棒とを備えた吊り掛け装置であって、
前記挿入孔に挿入された前記段付き軸部を前記吊り下げ棒の軸心回りに回動させることにより、前記段付き軸部の落下を規制する連結位置と、当該段付き軸部の落下を許容する解除位置とのいずれかに切り替え自在な着脱機構が、前記取付ベースの内部に設けられ、  前記段付き軸部の軸心回りの相対回動を規制する上方位置と、当該段付き軸部の軸心回りの相対回動を許容する下方位置のいずれかに切り替え自在な連結機構が、前記吊り下げ棒に設けられていることを特徴とする吊り掛け装置。
【請求項２】
前記連結機構は、前記吊り下げ棒が吊り下げ状態の時に、その自重によって自動的に下方位置になる請求項１に記載の吊り掛け装置。
【請求項３】
前記連結機構は、下方位置の時に、当該連結機構より下方のシャフト部分を揺動自在に支持する請求項１又は２に記載の吊り掛け装置。
【請求項４】
前記連結機構は、前記段付き軸部と同軸心状に連結された支持筒体と、この支持筒体の下部に回動自在でかつ揺動自在に収納された回動ヘッドと、この回動ヘッドを前記支持筒体内で上昇させることで当該回動ヘッドと前記支持筒体との相対回動を規制する軸方向連結部と、有する請求項１〜３のいずれかに記載の吊り掛け装置。
【請求項５】
前記支持筒体は前記段付き軸部の下端部に同軸心状に直結され、前記軸方向連結部は前記段付き軸部の下端部に一体形成されている請求項４に記載の吊り掛け装置。
【発明の詳細な説明】
【技術分野】
【０００１】  本発明は、主として、物干し竿や観葉植物等を室内の天井から吊り下げて使用する吊り掛け装置に関するものである。
【背景技術】
【０００２】  マンションや戸建て住宅等の室内の天井にから吊り下げて使用する吊り掛け装置として、天井面に取り付け可能でかつ下方に開口する挿入孔を有する取付ベースと、挿入孔に着脱自在に挿通される段付き軸部に有する吊り下げ棒とを備えた吊り掛け装置が知られている。
かかる吊り掛け装置では、挿入孔に挿入された段付き軸部を吊り下げ棒の軸心回りに回動させることにより、段付き軸部の落下を規制する連結位置と、当該段付き軸部の落下を許容する解除位置とのいずれかに切り替え自在な着脱機構が、取付ベースの内部に設けられている（特許文献１参照）。【０００３】  従って、上記吊り掛け装置を使用して物干し竿等の物品を吊り下げる場合には、ユーザは、天井面に取り付けられた取付ベースの挿入孔に吊り下げ棒の段付き軸部を挿入し、この状態で吊り下げ棒をその軸心回りに例えば右回りに回動させことにより、吊り下げ棒を取付ベースに対して吊り下げればよい。
また、吊り掛け装置を使用しない場合には、ユーザは、吊り下げ棒をその軸心回りに例えば左回りに回動させて、吊り下げ棒を取付ベースから取り外すことができる。
【先行技術文献】
【特許文献】
【０００４】
【特許文献１】  特開２００７−３０７０８３号公報
【発明の概要】
【発明が解決しようとする課題】
【０００５】  上記従来の吊り掛け装置では、吊り下げ棒の段付き軸部がそのシャフト部分と相対回動不能に一体化されているため、例えば子供が吊り下げ棒を勝手に左回りに回動させたり、屋内の風圧変化等による何らかの外力で吊り下げ棒が左回りに回動したりする場合でも、吊り下げ棒が取付ベースから離脱する可能性がある。
このため、子供の悪戯やその他の外的要因により、洗濯物その他の吊り下げ物が不意に落下してしまうことがあり、この点で安全性に問題があった。【０００６】  本発明は、このような従来の課題に鑑み、吊り下げ棒が不意に取付ベースから外れるのを防止できるようにして、安全性に優れた吊り掛け装置を提供することを目的とする。
【課題を解決するための手段】
【０００７】  本発明は、前記した吊り掛け装置において、前記段付き軸部の軸心回りの相対回動を規制する上方位置と、当該段付き軸部の軸心回りの相対回動を許容する下方位置のいずれかに切り替え自在な連結機構が、前記吊り下げ棒に設けられていることを特徴とする。【０００８】  本発明によれば、吊り下げ棒を取付ベースに対して着脱する場合には、上記連結機構を上方位置にセットしておけばよい。
この上方位置においては、段付き軸部の軸心回りの相対回動が規制されるので、吊り下げ棒を回動することによって段付き軸部を回動させることができる。従って、従来の場合と同様に、吊り下げ棒を取付ベースに着脱することができる。【０００９】  他方、吊り掛け装置を使用するため、吊り下げ棒を取付ベースに吊り下げたままの状態にする場合には、上記連結機構を下方位置にセットしておけばよい。
この下方位置においては、段付き軸部の軸心回りの相対回動が許容されるので、子供の悪戯やその他の外的要因によって吊り下げ棒のシャフト部分が解除方向に回動しても、その回動が段付き軸部に伝達されない。従って、吊り下げ棒が不意に取付ベースから外れるのを未然に防止することができる。【００１０】  本発明において、前記連結機構は、前記吊り下げ棒が吊り下げ状態の時に、その自重によって自動的に下方位置になるものであることが好ましい。
この場合、吊り下げ棒を吊り下げ状態にするだけで自動的に下方位置になるので、ユーザが人為的に連結機構を下方位置にセットしておく必要がなく、吊り掛け装置の使い勝手をより向上させることができる。【００１１】  また、本発明において、前記連結機構は、下方位置の時に、当該連結機構より下方のシャフト部分を揺動自在に支持するものであることが好ましい。
この場合、下方位置の時に、シャフト部分の相対回動が許容されるだけでなく、シャフト部分が揺動自在にもなるので、段付き軸部分が取付ベースから不意に離脱するのをより確実に防止することができる。【００１２】  前記連結機構は、より具体的には、前記段付き軸部と同軸心状に連結された支持筒体と、この支持筒体の下部に回動自在でかつ揺動自在に収納された回動ヘッドと、この回動ヘッドを前記支持筒体内で上昇させることで当該回動ヘッドと前記支持筒体との相対回動を規制する軸方向連結部と、から構成することができる。【００１３】  この場合、前記支持筒体を前記段付き軸部の下端部に同軸心状に直結し、前記軸方向連結部を前記段付き軸部の下端部に一体形成するようにすれば、軸方向連結部と段付き軸部と単一部材で構成することができ、部品点数の増大に伴うコスト増を抑制することができる。
【発明の効果】
【００１４】  以上の通り、本発明によれば、吊り下げ棒が不意に取付ベースから外れるのを防止できるので、安全性に優れた吊り掛け装置が得られる。
【図面の簡単な説明】
【００１５】
【図１】  吊り掛け装置の正面図である。
【図２】  取付ベースの正面断面図である。
【図３】  吊り下げ棒の上端部分の拡大断面図である。
【図４】  吊り下げ棒の下端部分の拡大正面図である。
【発明を実施するための形態】
【００１６】  〔吊り掛け装置の全体構成〕
図１は、本発明の実施形態に係る吊り掛け装置の正面図である。また、図２は、同装置を構成する取付ベースの正面断面図である。
本実施形態の吊り掛け装置１は、マンションや戸建て住宅の天井面から吊り下げて使用されるものであり、図１に示すように、天井面に取り付け可能な取付ベース２と、この取付ベース２の中央部に垂下状でかつ着脱自在に連結される吊り下げ棒３とから主構成されている。
【００１７】  なお、図例では、吊り掛け装置１がつしか図示されていないが、吊り掛け棒３の下端部に物干し竿（図示せず）を掛ける場合には、天井面における所定間隔をおいた位置に一対の吊り掛け装置１が配置される。
【００１８】  〔取付ベースの構成〕
図２に示すように、取付ベース２は、平面視円形状でかつ正面視椀状のケーシング５と、このケーシング５の内部に設けられたスライダ６とを備えている。
ケーシング６は、下面側に開口する挿入孔７を中央部に有し、この挿入孔７に、後述する吊り下げ棒３の段付き軸部１２を下から挿脱することができる。スライダ６は、ケーシング６の内部にその直径方向に移動自在に収容されている。
【００１９】  スライダ６の下壁部には係脱溝８が形成されている。この係脱溝８は、段付き軸部１２が通過し得る幅の拡幅部と、段付き軸部１２が通過し得ない幅の幅狭部とを有している。また、スライダ６の側壁部には、段付き軸部１２の上端に形成されたギア部１８が噛合するラック歯９が形成されている。
図２に示す状態は、スライダ６が、その係脱溝８の拡幅部が挿入孔７と対応する解除位置になっている。
【００２０】  この解除位置にあるスライダ６に段付き軸部１２を挿通すると、段付き軸部１２のギア部１８がラック歯９に噛合する。そこで、吊り下げ棒３をその軸心回りの一方（例えば右回り）に回動させると、段付き軸部１２が回転し、これによってスライダ６が図２の右側に移動して連結位置となる。
この連結位置では、係脱溝８の幅狭部が段付き軸部１２の細径部（首部１６）に係合して抜け止めするので、段付き軸部１２の落下が規制されるようになっている。
【００２１】  なお、図２における符号５Ａは、段付き軸部１２の上端面に形成した円形孔に嵌合して、当該段付き軸部１２をケーシング５の中心部に位置決めする中心ピンである。
しかして、本実施形態では、取付ベース２の内部に設けた上記スライダ６により、挿入孔７に挿入された段付き軸部１２を吊り下げ棒３の軸心回りに回動させることで、段付き軸部１２の落下を規制する連結位置と、当該段付き軸部１２の落下を許容する解除位置とのいずれかに切り替え自在な着脱機構が構成されている。
【００２２】  〔吊り下げ棒の構成〕
図１、図３及び図４に示すように、吊り下げ棒３は、伸縮自在な二重シャフト構造のシャフト部材１０と、このシャフト部材１０の上端側に設けられた連結機構１１及び段付き軸部１２と、そのシャフト部材１０の下端に連結された引っ掛け部１３とを有する。
図３に示すように、段付き軸部１２は、頭部１５、首部１６及び胴部１７を有する金属製の軸体よりなり、最上の頭部１５には前記ラック歯９に噛合するギア部１８が形成されている。
【００２３】  段付き軸部１２の胴部（軸方向連結部）１７には、支持筒体１９が同軸心状に直結されており、この支持筒体１９の下端部はほぼ球面状に湾曲している。
支持筒体１９の内部には、回転ヘッド２０の球面部２１が上下方向に遊びを持った状態で収容されており、この球面部２１は、支持筒体１９の湾曲形状にほぼ適合する半球状に形成されている。
回転ヘッド２０は、、球面部２１の下端から支持筒体１９の下方に延びる細径部２２と、この細径部２２の下端に連結された連結軸部２３を一体に有しており、この連結軸部２３に、シャフト部材１０の上端が同軸心状に連結されている。
【００２４】  回転ヘッド２０の球面部２１の上面は平坦になっており、この平坦面の中央部に、断面ほぼ正方形の嵌合凸部２４が突設されている。他方、段付き軸部１２の胴部１７の下端面には、上記嵌合凸部２４が係脱自在に嵌合する嵌合凹部２５が形成されている。
従って、図３に示すように、嵌合凸部２４が嵌合凹部２５から離脱する下方位置においては、回転ヘッド２０の球面部２１は、支持筒体１９に対して相対回転が自在でかつ一定の揺動角度で揺動自在である。
【００２５】  このように、シャフト部材１０の上端部側は、支持筒体１９と回転ヘッド２０の自在継ぎ手構造により、支持筒体１９に対して相対回転かつ揺動自在となっている
これに対して、シャフト部材１０を上昇させると、回転ヘッド２０の球面部２１が支持筒体１９の内部で上昇し、嵌合凸部２４が嵌合凹部２５に嵌合することより、回転ヘッド２０の段付き軸部１２に対する相対回転が規制される。
【００２６】  しかして、上記支持筒体１９と回転ヘッド２０とにより、段付き軸部１２の軸心回りの相対回動を規制する上方位置と、当該段付き軸部１２の軸心回りの相対回動を許容する下方位置（図３の状態）のいずれかに切り替え自在な前記連結機構１１が、吊り下げ棒３の上端部分に設けられている。
また、この場合の連結機構１１は、吊り下げ棒３が吊り下げ状態の時に、その自重によって自動的に下方位置になり、このさい、連結機構１１（支持筒体１９）より下方のシャフト部分が揺動自在に支持される。
【００２７】  図４に示すように、引っ掛け部１３は、シャフト部材１０の下端に直結されたリング部材２７と、このリング部材２７の下部に設けられた受けアーム２８と、この受けアーム２８に対する過負荷を知らせるための荷重指示部２９とを有する。
受けアーム２８は、リング部材２７の枠内部に上下移動自在に設けられている。荷重指示部２９は、受けアーム２８の中央部から下方に突設された指示軸３０と、この指示軸３０が上下動自在に挿通されたガイド筒３１と、このガイド筒３１の内部に介装された圧縮バネ３２とを有する。
【００２８】  上記圧縮バネ３２は、指示軸３０を常時上方に付勢しており、受けアーム２８への積載荷重に対応して指示軸３０下端部の下方突出量が変わるようになっている。
従って、指示軸３０の外周面に色分けや目盛りを付けておくことにより、指示軸３０の下端部の突出量に応じて、受けアーム２８に対する積載荷重をユーザに知らせることができるようになっている。
【００２９】  〔吊り掛け装置の使用方法と作用〕
上記構成に係る本実施形態において、吊り掛け装置１を使用するには、ユーザは、天井面に取り付けられた取付ベース２の挿入孔７に吊り下げ棒３の段付き軸部１２を挿入したあと、吊り下げ棒３を上方に押し気味して連結機構１１を上方位置とし、この状態で、吊り下げ棒３をその軸心回りに例えば右回りに回動させことにより、吊り下げ棒３を取付ベース２に対して吊り下げればよい。
【００３０】  また、逆に、吊り掛け装置１を使用しない場合には、ユーザは、吊り下げ棒３を同じく上方に押し気味にして連結機構１１を上方位置とし、この状態で、吊り下げ棒３をその軸心回りに例えば左回りに回動させて、吊り下げ棒３を取付ベース２から取り外すようにすればよい。
一方、吊り掛け装置１の使用時には、吊り下げ棒３が取付ベース２に吊り下げられたままの状態となるが、このさい、連結機構１１は吊り下げ棒３の自重によって下方位置になっている。
【００３１】  この下方位置においては、嵌合凸部２４が嵌合凹部２５から外れていて（図３の状態）、段付き軸部１２の軸心回りの相対回動が許容されるので、子供の悪戯やその他の外的要因で吊り下げ棒３のシャフト部分（支持筒体１９よりも下方のシャフト部分）が解除方向に回動しても、その回動が段付き軸部１２に伝達されない。
従って、本実施形態の吊り掛け装置１によれば、吊り下げ棒３が不意に取付ベース２から外れるのを未然に防止することができる。
【００３２】  〔変形例〕
なお、本発明は上記実施形態に限定されるものではない。
例えば、上記実施形態では、連結機構１１を吊り下げ棒３の上端側に設けているが、吊り下げ棒３の長手方向中途部であれば、特に取付位置が限定されるものではない。
【符号の説明】
【００３３】  １：吊り掛け装置    ２：取付ベース    ３：吊り下げ棒    ７：挿入孔
１０：シャフト部材    １１：連結機構    １２：段付き軸部
１７：胴部（軸方向連結部）    １９：支持筒体    ２０：回転ヘッド
【図１】
2010284488.tif 000003
【図２】
2010284488.tif 000004
【図３】
2010284488.tif 000005
【図４】
2010284488.tif 000006